(57)【要約】【課題】顧客に合わせたフォントサイズを用いて，ダイレクトメールなどのバリアブル印刷部に文字を印字できるバリアブル印刷システムを提供する。【解決手段】本発明のバリアブル印刷システムは，顧客毎に可変である可変テキストデータに含まれるフィールドの中から，予め設定されたフィールドのデータ値を取得し，このフィールドのデータ値に従い選択したフォントサイズの可変テキストデータを少なくともレイアウトファイルに差し込む処理を実行する可変テキストデータ処理装置１０と，可変テキストデータが少なくとも差し込まれたレイアウトファイルからプリントイメージを生成するプリントイメージ生成装置１１と，プリントイメージを出力する印刷装置１２とから少なくとも構成される。【選択図】図１
2011221780.tif 000002
【特許請求の範囲】
【請求項１】
顧客毎に可変である可変テキストデータに含まれるフィールドの中から，予め設定された前記フィールドのデータ値を取得し，該フィールドのデータ値に従い選択したフォントサイズの前記可変テキストデータを少なくともレイアウトファイルに差し込む処理を実行する可変テキストデータ処理装置と，前記可変テキストデータが少なくとも差し込まれた前記レイアウトファイルからプリントイメージを生成するプリントイメージ生成装置と，前記プリントイメージを出力する印刷装置と，から少なくとも構成されていることを特徴とするバリアブル印刷システム。
【請求項２】
前記フォントサイズの選択に利用する前記フィールドのデータ値は顧客の年齢であって，前記可変テキストデータ処理装置は，顧客の年齢が属する区分に従いフォントサイズを選択することを特徴とする，請求項１に記載のバリアブル印刷システム。
【請求項３】
バリアブル印刷に利用される可変テキストデータを処理する装置であって，顧客毎に可変である可変テキストデータに含まれるフィールドの中から，予め設定されたフィールドのデータ値を取得し，該フィールドのデータ値に従い選択したフォントサイズの前記可変テキストデータを少なくともレイアウトファイルに差し込む処理を実行する可変テキストデータ処理装置。
【請求項４】
前記フォントサイズの選択に利用する前記フィールドのデータ値は顧客の年齢であって，顧客の年齢が属する区分に従いフォントサイズを選択することを特徴とする，請求項３に記載の可変テキストデータ処理装置。
【請求項５】
バリアブル印刷に利用される可変テキストデータを処理する装置が，顧客毎に可変である可変テキストデータに含まれるフィールドの中から，予め設定された前記フィールドのデータ値を取得するステップ，前記装置が，該フィールドのデータ値に従い選択したフォントサイズの前記可変テキストデータを少なくともレイアウトファイルに差し込むステップ，が実行されることを特徴とする可変テキストデータ処理方法。
【発明の詳細な説明】
【技術分野】
【０００１】
本発明は、一枚ずつ内容の異なる印刷物を印刷するバリアブル印刷の技術分野に関し、更に詳しくは、バリアブル印刷で利用するテキストのサイズを変更する技術に関する。
【背景技術】
【０００２】
顧客のニーズに合わせてアプローチを行うOne to Oneマーケティングや、顧客に対するサポート業務においては、顧客毎に内容の異なるダイレクトメールを郵送することが必要になり、このような分野においては、顧客ごとに異なる内容を印刷できるバリアブル印刷システムが利用されている。
【０００３】
バリアブル印刷システムでは、ＤＴＰ（Desktop publishing）ソフトウェアが実装されたオーサリング装置を用いて、ダイレクトメールなどの印刷物のレイアウトファイルが生成され、このレイアウトファイルに、顧客毎に異なるバリアブルデータを組み込んで、一枚ずつ内容の異なる印刷物をバリアブル印刷装置で印刷する。
【０００４】
このように，バリアブル印刷システムを利用すれば，顧客毎に内容の異なるダイレクトメールを印刷することが可能になり，特許文献１では，顧客の氏名のみならず、顧客の属性に合わせて写真等のイメージデータを選択してプリントすることができるダイレクトメール作成システムが開示されている。
【先行技術文献】
【特許文献】
【０００５】
【特許文献１】特開２００４-２９９００号公報
【発明の概要】
【発明が解決しようとする課題】
【０００６】
しかしながら，上述した発明は，顧客の嗜好に合わせて写真等のイメージデータを選択してプリントすることができるが，顧客に合わせて文字のサイズを変更することはできなかった。
【０００７】
統計データによれば，総人口に占める６５才以上の割合は、２０１３年に４人に１人、２０３７年には３人に１人まで増加し、今後高齢化社会が本格化する。高齢化社会に伴い，ダイレクトメールの送信先となる顧客に合わせたフォントサイズを用いて，ダイレクトメールに文字を印字できることが望ましい。
【０００８】
そこで，本発明は，ダイレクトメールなどのバリアブル印刷物の送信先となる顧客に合わせたフォントサイズを用いて，バリアブル印刷物に文字を印字できるバリアブル印刷システム，並びに，バリアブル印刷で利用される可変テキストデータを処理する装置及び方法を提供することを目的とする。
【課題を解決するための手段】
【０００９】
上述した課題を解決する第1の発明は，顧客毎に可変である可変テキストデータに含まれるフィールドの中から，予め設定された前記フィールドのデータ値を取得し，該フィールドのデータ値に従い選択したフォントサイズの前記可変テキストデータを少なくともレイアウトファイルに差し込む処理を実行する可変テキストデータ処理装置と，前記可変テキストデータが少なくとも差し込まれた前記レイアウトファイルからプリントイメージを生成するプリントイメージ生成装置と，前記プリントイメージを出力する印刷装置と，から少なくとも構成されていることを特徴とするバリアブル印刷システムである。
【００１０】
前記可変テキストデータ記憶装置が，顧客毎に可変である可変テキストデータに含まれるフィールドの中から，予め設定された前記フィールドのデータ値を取得し，該フィールドのデータ値に従い選択したフォントサイズの前記可変テキストデータを少なくともレイアウトファイルに差し込む処理を実行することで，顧客毎に可変であるフィールドを前記フィールドとして指定しおけば，バリアブル印刷物の送信先となる顧客に合わせたフォントサイズを用いてバリアブル印刷することが可能になる。
【００１１】
更に，第２の発明は，バリアブル印刷に利用される可変テキストデータを処理する装置であって，顧客毎に可変である可変テキストデータに含まれるフィールドの中から，予め設定された前記フィールドのデータ値を取得し，該フィールドのデータ値に従い選択したフォントサイズの前記可変テキストデータを少なくともレイアウトファイルに差し込む処理を実行する可変テキストデータ処理装置である。
【００１２】
また，第３の発明は，バリアブル印刷に利用される可変テキストデータを処理する装置が，顧客毎に可変である可変テキストデータに含まれるフィールドの中から，予め設定された前記フィールドのデータ値を取得するステップ，前記装置が，該フィールドのデータ値に従い選択したフォントサイズの前記可変テキストデータを少なくともレイアウトファイルに差し込むステップ，が実行されることを特徴とする可変テキストデータ処理方法である。
【００１３】
第２の発明は，第１の発明のバリアブル印刷システムを構成する一つの装置である可変テキストデータ処理装置に係わる発明で，第３の発明は，可変テキストデータ処理装置で実行される方法に係わる発明である。
【００１４】
なお，第１の発明，第２の発明及び第３の発明において，フォントサイズを直接的に示すデータ値を記憶するフィールドを前記可変テキストデータに設けてもよいが，前記可変テキストデータに顧客の年齢を記憶するフィールドがあれば，このフィールドをフォントサイズの選択に利用するフィールドにすれば，顧客の年齢に合わせてフォントサイズを選択できるようになる。
【発明の効果】
【００１５】
このように，本発明によれば，ダイレクトメールなどのバリアブル印刷物の送信先となる顧客に合わせたフォントサイズを用いて，バリアブル印刷物に文字を印字できるバリアブル印刷システム，並びに，バリアブル印刷で利用される可変テキストデータを処理する装置及び方法を提供できる。
【図面の簡単な説明】
【００１６】
【図１】バリアブル印刷システムの構成を説明する図。
【図２】可変テキストデータの構造の一例を説明する図。
【図３】フォントサイズを決定するルールの一例を説明する図。
【図４】可変テキストデータ処理装置の処理手順を示したフロー図。
【図５】バリアブル印刷物の一例を説明する図。
【発明を実施するための形態】
【００１７】
ここから，本願発明の実施形態について，本願発明の技術分野に係わる当業者が，本願発明の内容を理解し，本願発明を実施できる程度に説明する。
【００１８】
図１は、本発明が適用されたバリアブル印刷システム１の構成を説明する図である。
【００１９】
図１で図示したバリアブル印刷システム１は、顧客毎に異なる可変テキストデータを記憶している可変テキストデータ記憶装置１３と，顧客毎で共通のレイアウトファイルを記憶しているレイアウトファイル記憶装置１４と，顧客毎に可変である可変テキストデータに含まれるフィールドの中から，指定されたフィールドのデータ値を取得し，フィールドのデータ値に従い選択したフォントサイズの可変テキストデータを少なくともレイアウトファイルに差し込む処理を実行する可変テキストデータ処理装置１０と，少なくとも可変テキストデータが差し込まれたレイアウトファイルからプリントイメージを生成するプリントイメージ生成装置１１と，プリントイメージ生成装置１１で生成されたプリントイメージを出力する印刷装置１２とから少なくとも構成され、本実施形態では，それぞれの装置はネットワークなどを介して接続されている。
【００２０】
可変テキストデータ記憶装置１３には，バリアブル印刷物の対象となる顧客毎に異なる可変テキストデータが顧客毎に記憶される。可変テキストデータは，ＣＳＶ（Comma Separated Values）形式のテキストデータで，可変テキストデータには，顧客を識別するため顧客識別番号，顧客の氏名・住所などのフィールドを含むレコードが顧客毎に記憶され，可変テキストデータに含まれる一つのフィールドのデータ値が，可変テキストデータのフォントサイズを選択するために利用される。
【００２１】
フォントサイズを直接的に示すデータ値を記憶するフィールドを可変テキストデータに設けてもよいが，可変テキストデータに顧客の年齢を記憶するフィールドがあれば，このフィールドをフォントサイズの選択に利用するフィールドにすれば，顧客の年齢に合わせてフォントサイズを選択できるようになり，バリアブル印刷物を受け取った顧客がバリアブル印刷物を見やすくすることができるようになる。
【００２２】
なお，バリアブル印刷物の対象となる顧客毎に共通のテキストであっても，顧客に応じてフォントサイズを変更したい場合は，このテキストをレイアウトファイルに含ませずに，可変テキストデータに含ませておけばよい。
【００２３】
レイアウトファイル記憶装置１４には，バリアブル印刷物の対象となる顧客毎に共通のレイアウトファイルが記憶される。レイアウトファイルは，例えば，ＰｏｓｔＳｃｒｉｐｔファイルのように，ページ記述言語で記述されたファイルで，このレイアウトファイルには，レイアウトファイルで固定の図柄やテキストに加え，可変テキストデータに含まれるフィールドのデータ値を差し込む可変テキスト枠が含まれる。
【００２４】
プリントイメージ生成装置１１は，ＲＩＰ（Raster Image Processor）のように，少なくとも可変テキストデータが差し込まれたレイアウトファイルをイメージデータに変換することでプリントイメージを生成する装置で，印刷装置１２は，オフセット印刷方式，インクジェット方式やトナー方式などの印刷ユニットを備え，プリントイメージ生成装置１１が生成したプリントイメージを紙媒体などに印刷してバリアブル印刷物を出力する装置である。
【００２５】
ここから，図１で図示したバリアブル印刷システム１を構成する装置の一つである可変テキストデータ処理装置１０について詳細に説明する。
【００２６】
可変テキストデータ処理装置１０は，顧客毎に可変である可変テキストデータに含まれるフィールドの中から，フォントサイズの選択に用いるフィールドのデータ値を取得し，このフィールドのデータ値に従い選択したフォントサイズの可変テキストデータを少なくともレイアウトファイルに差し込む処理を実行する装置で，このような処理を実行するためのコンピュータプログラムを，顧客毎に可変である可変テキストデータをレイアウトファイルに差し込む機能を備えた市販の装置，または，顧客毎に可変である可変テキストデータ及び可変イメージデータをレイアウトファイルに差し込む機能を備えた市販の装置に実装することで実現できる。
【００２７】
顧客毎に可変である可変テキストデータに含まれるフィールドの中から，フォントサイズの選択に用いるフィールドのデータ値を取得し，このフィールドのデータ値に従い選択したフォントサイズの可変テキストデータを少なくともレイアウトファイルに差し込む処理を実行するために，可変テキストデータ処理装置１０は，フォントサイズの選択に利用するフィールドの識別情報（例えば，番号や名称など）と，このフィールドのデータ値に従いフォントサイズを決定するルールをバリアブル印刷物の品目毎に記憶している。
【００２８】
図２は，可変テキストデータの構造の一例を説明する図で，図３は，指定されているフィールドのデータ値に従いフォントサイズを決定するルールの一例を説明する図である。
【００２９】
図２で図示した可変テキストデータ３には，バリアブル印刷物の送付先となる顧客毎にレコードが記憶され，このレコードは改行コード（例えば，ＣＲＬＦ）によって区切られる。一つのレコードには，複数のフィールドが含まれ，それぞれのフィールドはカンマで区切られ，図２では，フィールドとして，顧客識別番号，顧客の氏名，顧客の郵便番号，顧客の住所，顧客の年齢そして文面データを図示し，顧客の年齢をフォントサイズの選択に利用するとき，可変テキストデータ処理装置１０には，顧客の年齢が記述されるフィールドのフィールド番号として「５」が記憶される。
【００３０】
図３は，顧客の年齢をフォントサイズの選択に利用するときのルールの一例で，図３で図示したルール４では，顧客の年齢が２０才以上５５才未満であれば，小に該当するフォントサイズ（例えば，１０ポイント）を選択し，顧客の年齢が５５才以上６５才未満であれば，中に該当するフォントサイズ（例えば，１２ポイント）を選択し，そして，顧客の年齢が６５才未満であれば，大に該当するフォントサイズ（例えば，１４ポイント）を選択することが示されている。
【００３１】
図４は，可変テキストデータ処理装置１０の処理手順を示したフロー図である。一つのバリアブル印刷物を印刷する際，可変テキストデータ処理装置１０には，処理対象となる可変テキストデータが可変テキストデータ記憶装置１３から送信され，更に，バリアブル印刷物毎に固有のレイアウトファイルがレイアウトファイル記憶装置１４から送信される（Ｓ１）。
【００３２】
可変テキストデータ処理装置１０は，可変テキストデータ及びレイアウトファイルを受信すると，可変テキストデータに含まれるフィールドの中から，予め設定されているフィール番号で特定されるフィールドのデータ値を取得した後（Ｓ２），予め設定されたルールを参照し，このフィールドのデータ値に従うフォントサイズを選択する（Ｓ３）。
【００３３】
例えば，図３で図示したルールによれば，可変テキストデータから取得した顧客の年齢が２０才以上５５才未満であれば，小に該当するフォントサイズ（例えば，１０ポイント）が選択され，顧客の年齢が５５才以上６５才未満であれば，中に該当するフォントサイズ（例えば，１２ポイント）が選択され，そして，顧客の年齢が６５才未満であれば，大に該当するフォントサイズ（例えば，１４ポイント）が選択される。
【００３４】
そして，可変テキストデータ処理装置１０は，予め設定されたフィールドのデータ値に従い選択したフォントサイズを用い，レイアウトファイルの可変テキスト枠に対応するフィールドのデータを可変テキストデータから取得し差し込むことで（Ｓ４），少なくとも可変テキストデータが差し込まれたレイアウトファイルを生成し，この手順を終了する。
【００３５】
図５は，バリアブル印刷物の一例を説明する図で，図３を図示したルールに従い印刷されるバリアブル印刷物である。図５（ａ）は，２０才以上５５才未満の年齢区分に年齢が属する顧客に送信されるダイレクト葉書５ａで，図５（ｂ）は，２５才以上６５才未満の年齢区分に年齢が属する顧客に送信されるダイレクト葉書５ｂで，そして，図５（ａ）は，６５才未満の年齢区分に年齢が属する顧客に送信されるダイレクト葉書５ｃである。
【００３６】
図５では，「お誕生日，おめでとうございます。ご来店を，お待ちしております。」が文面データで，図３で図示したルールに従い選択されたフォントサイズが用いられることで，図５（ａ），図５（ｂ）及び図５（ｃ）それぞれで図示したダイレクト葉書５ａ，ｂ，ｃのように，顧客が属する年齢区分に従い文面データのフォントサイズを大きくすることで，ダイレクト葉書を見た顧客が内容を直ぐにわかるようになる。
【符号の説明】
【００３７】
１    バリアブル印刷システム
１０  可変テキストデータ処理装置
１１  プリントイメージ生成装置
１２  印刷装置
１３  可変テキストデータ記憶装置
１４  レイアウトファイル記憶装置
【図１】
2011221780.tif 000003
【図２】
2011221780.tif 000004
【図３】
2011221780.tif 000005
【図４】
2011221780.tif 000006
【図５】
2011221780.tif 000007